(57)【特許請求の範囲】
【請求項１】
正面視で、上ボディを含み、前記上ボディの下方には下ボディが回転できるように連結され、前記上ボディの中には上チャンバーが設置され、前記下ボディの中には下チャンバーが設置され、前記上チャンバーの中には撮影機構が設置され、前記上チャンバーの左側には補光機構が設置され、前記上チャンバーの右側には補光板が設置され、前記上チャンバーの下方には伝動機構が設置され、前記下チャンバーの中にはサポーター機構がスライドできるように設置され、 
前記撮影機構の中には上スライドチャンバーが設置され、前記上スライドチャンバーの中にはカメラがスライドできるように連結され、前記左スライドチャンバーの中にはフラッシュがスライドできるように設置され、前記上チャンバーの内壁が上板とスライドできるように連結され、前記上板の中部には中心軸が固定的に連結され、前記中心軸には前記下ボディとスライドできるように連結されたスライド板が回転できるように連結され、 
前記中心軸には中心歯車が固定的に連結され、前記中心歯車には左歯車が間欠的に噛み合っており、前記左歯車には伸縮ロッドが固定的に連結され、前記伸縮ロッドには液圧装置がスライドできるように連結され、前記液圧装置にはモーターが動力が伝達できるように連結され、前記モーターが回転すれば前記上ボディを回転連動させることができることを特徴とする携帯電話による自撮りをサポートする機構。 
【請求項２】
前記上スライドチャンバーには上パイプが連通され、前記上パイプには上圧力チャンバーが連通され、前記上圧力チャンバーには上ピストンがスライドできるように連結され、前記上ピストンには上ピストンロッドが固定的に連結されていることを特徴とする請求項１に記載の携帯電話による自撮りをサポートする機構。 
【請求項３】
前記フラッシュには左バネが固定的に連結され、前記左バネが前記左スライドチャンバーの端壁に固定的に連結され、前記フラッシュにはスライドロッドが固定的に連結されていることを特徴とする請求項１に記載の携帯電話による自撮りをサポートする機構。 
【請求項４】
前記補光板の上端には第一連結ロッドと第二連結ロッドとがヒンジにより連結され、前記補光板の下端には前記第一連結ロッドとヒンジにより連結された第三連結ロッドと、前記第二連結ロッドとヒンジにより連結された第四連結ロッドがヒンジにより連結されていることを特徴とする請求項２に記載の携帯電話による自撮りをサポートする機構。 
【請求項５】
前記上ピストンロッドには前記上板が固定的に連結され、前記上板には凸ロッドが固定的に連結され、前記上板にはスライド溝が設置され、前記第三連結ロッドには前記スライド溝がヒンジにより連結されていることを特徴とする請求項４に記載の携帯電話による自撮りをサポートする機構。 
【請求項６】
前記スライド板には縦板が固定的に連結され、前記縦板には横軸が回転できるように連結され、前記横軸には内歯車が固定的に連結され、前記横軸には内ヘリカルギアが固定的に連結され、前記内ヘリカルギアには外ヘリカルギアが噛み合っており、前記外ヘリカルギアには前記スライド板と回転できるように連結された左短軸が固定的に連結され、前記左短軸には外歯車が固定的に連結され、前記下チャンバーの左壁にはラックが固定的に連結され、前記ラックが前記内歯車と噛み合っていることを特徴とする請求項１に記載の携帯電話による自撮りをサポートする機構。 
【請求項７】
前記スライド板の下方には三つのスライド孔が対称的に設置され、三つの前記スライド孔の中にはガイド溝が設置され、前記ガイド溝には一級支持ロッドがヒンジにより連結され、前記一級支持ロッドの中には一級チャンバーが設置され、前記一級チャンバーの中には二級支持ロッドがスライドできるように連結され、前記二級支持ロッドの中には二級チャンバーが設置され、前記二級チャンバーの中には三級支持ロッドがスライドできるように設置され、前記一級チャンバーには下パイプが連通されていることを特徴とする請求項１に記載の携帯電話による自撮りをサポートする機構。 
【請求項８】
前記スライド板の下端には下ピストンロッドが固定的に連結され、前記下ピストンロッドには下ピストンが固定的に連結され、前記下ピストンが前記下チャンバーの下壁に固定された下スライドチャンバーの中にスライドできるように設置され、前記下スライドチャンバーには下通口が連通され、前記下通口には前記下パイプが連通されていることを特徴とする請求項７に記載の携帯電話による自撮りをサポートする機構。 
【請求項９】
前記下チャンバーの下壁には三つの支持口が設置されていることを特徴とする請求項１に記載の携帯電話による自撮りをサポートする機構。
【発明の詳細な説明】
【技術分野】
【０００１】
本発明は電子産品設備分野に関し、具体的には携帯電話による自撮りをサポートする機構である。 
【背景技術】
【０００２】
携帯電話は当代の人に不可欠な手回り道具であり、携帯電話のピクセルが高くなるにつれて、携帯電話での撮影がすでに人々の優先な撮影方式となり、たくさんの携帯電話の撮った写真が専門カメラの撮ったようなレベルに追いつき、しかし携帯電話での撮影には専門撮影に関する器材が乏しく、伝統的な自撮り棒で撮った写真では人々が一見すればそれが自撮りだと分かり、どうすれば自分で写真を他人が撮ってくれたようなふうに撮れるか、それが独りで出かける人にとっては大きな困るところであり、上記の問題を解決するために、肖像自撮りの携帯電話サポート機構を設計することが必要となる。 
【先行技術文献】
【特許文献】
【０００３】
【特許文献１】中国特許出願公開第１０６０５１４３０号明細書
【発明の概要】
【発明が解決しようとする課題】
【０００４】
本発明は像撮影を基にした携帯電話サポート機構を提供し、従来技術における上記欠点を解消することを目的とする。 
【課題を解決するための手段】
【０００５】
本発明は以下の技術プランを通じて実現される：本発明の携帯電話による自撮りをサポートする機構は上ボディを含み、前記上ボディの下方には下ボディが回転できるように連結され、前記上ボディの中には上チャンバーが設置され、前記下ボディの中には下チャンバーが設置され、前記上チャンバーの中には撮影機構が設置され、前記上チャンバーの左側には補光機構が設置され、前記上チャンバーの右側には補光板が設置され、前記上チャンバーの下方には伝動機構が設置され、前記下チャンバーの中にはサポーター機構がスライドできるように設置され、前記撮影機構の中には上スライドチャンバーが設置され、前記上スライドチャンバーの中にはカメラがスライドできるように連結され、前記補光機構の中には左スライドチャンバーが設置され、前記左スライドチャンバーの中にはフラッシュがスライドできるように設置され、前記上チャンバーの内壁が上板とスライドできるように連結され、前記上板の中部には中心軸が固定的に連結され、前記中心軸には前記下ボディとスライドできるように連結されたスライド板が回転できるように連結され、前記中心軸には中心歯車が固定的に連結され、前記中心歯車には左歯車が間欠的に噛み合っており、前記左歯車には伸縮ロッドが固定的に連結され、前記伸縮ロッドには液圧装置がスライドできるように連結され、前記液圧装置にはモーターが動力が伝達できるように連結され、前記モーターが回転すれば前記上ボディを回転連動させることができる。 
【０００６】
更の技術プランとしては、前記上スライドチャンバーには上パイプが連通され、前記上パイプには上圧力チャンバーが連通され、前記上圧力チャンバーには上ピストンがスライドできるように連結され、前記上ピストンには上ピストンロッドが固定的に連結されている。
【０００７】
更の技術プランとしては、前記フラッシュには左バネが固定的に連結され、前記左バネが前記左スライドチャンバーの端壁に固定的に連結され、前記フラッシュにはスライドロッドが固定的に連結されている。 
【０００８】
更の技術プランとしては、前記補光板の上端には第一連結ロッドと第二連結ロッドとがヒンジにより連結され、前記補光板の下端には前記第一連結ロッドとヒンジにより連結された第三連結ロッドと、前記第二連結ロッドとヒンジにより連結された第四連結ロッドがヒンジにより連結されている。 
【０００９】
更の技術プランとしては、前記上ピストンロッドには前記上板が固定的に連結され、前記上板には凸ロッドが固定的に連結され、前記上板にはスライド溝が設置され、前記第三連結ロッドには前記スライド溝がヒンジにより連結されている。 
【００１０】
更の技術プランとしては、前記スライド板には縦板が固定的に連結され、前記縦板には横軸が回転できるように連結され、前記横軸には内歯車が固定的に連結され、前記横軸には内ヘリカルギアが固定的に連結され、前記内ヘリカルギアには外ヘリカルギアが噛み合っており、前記外ヘリカルギアには前記スライド板と回転できるように連結された左短軸が固定的に連結され、前記左短軸には外歯車が固定的に連結され、前記下チャンバーの左壁にはラックが固定的に連結され、前記ラックが前記内歯車と噛み合っている。 
【００１１】
更の技術プランとしては、前記スライド板の下方には三つのスライド孔が対称的に設置され、三つの前記スライド孔の中にはガイド溝が設置され、前記ガイド溝には一級支持ロッドがヒンジにより連結され、前記一級支持ロッドの中には一級チャンバーが設置され、前記一級チャンバーの中には二級支持ロッドがスライドできるように連結され、前記二級支持ロッドの中には二級チャンバーが設置され、前記二級チャンバーの中には三級支持ロッドがスライドできるように設置され、前記一級チャンバーには下パイプが連通されている。
【００１２】
更の技術プランとしては、前記スライド板の下端には下ピストンロッドが固定的に連結され、前記下ピストンロッドには下ピストンが固定的に連結され、前記下ピストンが前記下チャンバーの下壁に固定された下スライドチャンバーの中にスライドできるように設置され、前記下スライドチャンバーには下通口が連通され、前記下通口には前記下パイプが連通されている。 
【００１３】
更の技術プランとしては、前記下チャンバーの下壁には三つの支持口が設置されている。 
【発明の効果】
【００１４】
本発明の有益効果は：本発明は携帯電話の撮影にサポーターと補光灯を増加し、携帯電話の撮影の不足を補い、有効な円筒を通してそれらのテイクアウト機能を同じ場所に収納し、設備の携帯性を増加し、本発明は外接ソフトと協働して有効なコントロールを行うことができ、写真を撮る時に任意的に角度を回転でき、携帯電話でプロの写真を撮ることができる。 
【図面の簡単な説明】
【００１５】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【００１６】
【図１】図１は本発明の携帯電話による自撮りをサポートする機構の全体構成模式図
【図２】図２は図１のＡの拡大構成模式図
【図３】図３は図１のＢの拡大構成模式図
【図４】図４は図１のＣの拡大構成模式図
【図５】図５は図１のＤの拡大構成模式図
【図６】図６は図１のＥ―Ｅの断面構成模式図
【図７】図７は本発明の作動状態の時の構成模式図
【発明を実施するための形態】
【００１７】
図１〜７を参照し、本発明の携帯電話による自撮りをサポートする機構は上ボディ１００を含み、前記上ボディ１００の下方には下ボディ１０１が回転できるように連結され、前記上ボディ１００の中には上チャンバー１１４が設置され、前記下ボディ１０１の中には下チャンバー１２６が設置され、前記上チャンバー１１４の中には撮影機構１０２が設置され、前記上チャンバー１１４の左側には補光機構１０３が設置され、前記上チャンバー１１４の右側には補光板１０７が設置され、前記上チャンバー１１４の下方には伝動機構１１５が設置され、前記下チャンバー１２６の中にはサポーター機構１１９がスライドできるように設置され、前記撮影機構１０２の中には上スライドチャンバー１２８が設置され、前記上スライドチャンバー１２８の中にはカメラ１２７がスライドできるように連結され、前記補光機構１０３の中には左スライドチャンバー１３３が設置され、前記左スライドチャンバー１３３の中にはフラッシュ１３２がスライドできるように設置され、前記上チャンバー１１４の内壁が上板１０６とスライドできるように連結され、前記上板１０６の中部には中心軸１１３が固定的に連結され、前記中心軸１１３には前記下ボディ１０１とスライドできるように連結されたスライド板１１６が回転できるように連結され、前記中心軸１１３には中心歯車１３６が固定的に連結され、前記中心歯車１３６には左歯車１３７が間欠的に噛み合っており、前記左歯車１３７には伸縮ロッド１４７が固定的に連結され、前記伸縮ロッド１４７には液圧装置１４６がスライドできるように連結され、前記液圧装置１４６にはモーター１４５が動力が伝達できるように連結され、前記モーター１４５が回転すれば前記上ボディ１００を回転連動させることができる。 
【００１８】
好ましくは、前記上スライドチャンバー１２８には上パイプ１２９が連通され、前記上パイプ１２９には上圧力チャンバー１３０が連通され、前記上圧力チャンバー１３０には上ピストン１３１がスライドできるように連結され、前記上ピストン１３１には上ピストンロッド１０４が固定的に連結されている。 
【００１９】
好ましくは、前記フラッシュ１３２には左バネ１３４が固定的に連結され、前記左バネ１３４が前記左スライドチャンバー１３３の端壁に固定的に連結され、前記フラッシュ１３２にはスライドロッド１３５が固定的に連結されている。 
【００２０】
好ましくは、前記補光板１０７の上端には第一連結ロッド１０８と第二連結ロッド１０９とがヒンジにより連結され、前記補光板１０７の下端には前記第一連結ロッド１０８とヒンジにより連結された第三連結ロッド１１０と、前記第二連結ロッド１０９とヒンジにより連結された第四連結ロッド１１１がヒンジにより連結されている。 
【００２１】
好ましくは、前記上ピストンロッド１０４には前記上板１０６が固定的に連結され、前記上板１０６には凸ロッド１１２が固定的に連結され、前記上板１０６にはスライド溝１０５が設置され、前記第三連結ロッド１１０には前記スライド溝１０５がヒンジにより連結されている。 
【００２２】
好ましくは、前記スライド板１１６には縦板１４２が固定的に連結され、前記縦板１４２には横軸１５５が回転できるように連結され、前記横軸１５５には内歯車１４１が固定的に連結され、前記横軸１５５には内ヘリカルギア１４３が固定的に連結され、前記内ヘリカルギア１４３には外ヘリカルギア１４０が噛み合っており、前記外ヘリカルギア１４０には前記スライド板１１６と回転できるように連結された左短軸１３９が固定的に連結され、前記左短軸１３９には外歯車１３８が固定的に連結され、前記下チャンバー１２６の左壁にはラック１１７が固定的に連結され、前記ラック１１７が前記内歯車１４１と噛み合っている。 
【００２３】
好ましくは、前記スライド板１１６の下方には三つのスライド孔１４８が対称的に設置され、三つの前記スライド孔１４８の中にはガイド溝１４９が設置され、前記ガイド溝１４９には一級支持ロッド１５０がヒンジにより連結され、前記一級支持ロッド１５０の中には一級チャンバー１５３が設置され、前記一級チャンバー１５３の中には二級支持ロッド１５１がスライドできるように連結され、前記二級支持ロッド１５１の中には二級チャンバー１５２が設置され、前記二級チャンバー１５２の中には三級支持ロッド１５４がスライドできるように設置され、前記一級チャンバー１５３には下パイプ１２０が連通されている。
【００２４】
好ましくは、前記スライド板１１６の下端には下ピストンロッド１１８が固定的に連結され、前記下ピストンロッド１１８には下ピストン１２１が固定的に連結され、前記下ピストン１２１が前記下チャンバー１２６の下壁に固定された下スライドチャンバー１２３の中にスライドできるように設置され、前記下スライドチャンバー１２３には下通口１２５が連通され、前記下通口１２５には前記下パイプ１２０が連通されている。 
【００２５】
好ましくは、前記下チャンバー１２６の下壁には三つの支持口１２４が設置されている。 
【００２６】
図１〜７を交えて本文に記載した携帯電話による自撮りをサポートする機構の使用ステップについて詳しく説明する： 
【００２７】
１、写真を撮る時、前記液圧装置１４６を始動し、前記伸縮ロッド１４７が下方に移動し、前記左歯車１３７が前記外歯車１３８と噛み合っており、モーター１４５を始動し、前記伸縮ロッド１４７を回転連動させ、同時に前記左歯車１３７を回転連動させ、同時に前記外歯車１３８を連動させ、同時に前記左短軸１３９を回転連動させ、同時に前記外ヘリカルギア１４０を回転連動させ、同時に前記内ヘリカルギア１４３を回転連動させ、同時に前記横軸１５５を回転連動させ、同時に前記内歯車１４１を回転連動させ、前記内歯車１４１が前記ラック１１７と噛み合うように伝動され、前記スライド板１１６を下方に移動させ、前記下ピストンロッド１１８が下方に移動し、前記下スライドチャンバー１２３の中の気圧が大きくなり、前記下パイプ１２０を通して前記一級チャンバー１５３の中に伝わり、前記二級支持ロッド１５１と前記三級支持ロッド１５４とを押し動かして下方に移動させ、同時に前記一級支持ロッド１５０が下方に移動する。 
【００２８】
２、同時に前記中心軸１１３が下方に移動して前記上板１０６を下方に移動連動させ、同時に前記凸ロッド１１２を下方に移動連動させ、前記凸ロッド１１２にある凸ブロックが前記スライドロッド１３５と接触する時、前記スライドロッド１３５が左方に移動し、前記フラッシュ１３２を連動させて外部に差し出させる。 
【００２９】
３、同時に前記第三連結ロッド１１０を回転連動させ、前記第四連結ロッド１１１と前記第二連結ロッド１０９と前記第一連結ロッド１０８とを回転連動させ、前記補光板１０７が右方に差し出す。 
【００３０】
４、同時に前記上ピストンロッド１０４を連動させて下方に移動させ、前記上ピストン１３１が下方に移動し、前記上圧力チャンバー１３０の中の気圧が大きくなり、前記上スライドチャンバー１２８の中の気圧が大きくなり、前記カメラ１２７を連動させて上方に差し出させる。 
【００３１】
５、前記液圧装置１４６を始動し、前記左歯車１３７が前記中心歯車１３６と噛み合っており、前記モーター１４５を始動し、前記左歯車１３７が回転して前記中心歯車１３６を回転連動させ、前記中心軸１１３を回転連動させ、前記上板１０６を回転連動させ、同時に前記上ボディ１００を回転連動させ、そうすれば撮影の角度と補光の角度とを調整できる。
【００３２】
本発明の有益効果は：本発明は携帯電話の撮影にサポーターと補光灯を増加し、携帯電話の撮影の不足を補い、有効な円筒を通してそれらのテイクアウト機能を同じ場所に収納し、設備の携帯性を増加し、本発明は外接ソフトと協働して有効なコントロールを行うことができ、写真を撮る時に任意的に角度を回転でき、携帯電話でプロの写真を撮ることができる。
【００３３】
以上の方式により、本分野の技術者が本発明の範囲内に作動モードにより各種な変化をすることができる。
【要約】
【課題】本発明は肖像撮影を基にした携帯電話サポート機構を開示した。    
【解決手段】
上ボディを含み、前記上ボディの下方には下ボディが回転できるように連結され、前記上ボディの中には上チャンバーが設置され、前記下ボディの中には下チャンバーが設置され、前記上チャンバーの中には撮影機構が設置され、前記上チャンバーの左側には補光機構が設置され、前記上チャンバーの右側にはが補光板が設置され、前記上チャンバーの下方には伝動機構が設置され、前記下チャンバーの中にはサポーター機構がスライドできるように設置され、
本発明は携帯電話の撮影にサポーターと補光灯を増加し、携帯電話の撮影の不足を補い、有効な円筒を通してそれらのテイクアウト機能を同じ場所に収納し、設備の携帯性を増加する。
【選択図】図１【図１】
0006709375.tif 000002
【図２】
0006709375.tif 000003
【図３】
0006709375.tif 000004
【図４】
0006709375.tif 000005
【図５】
0006709375.tif 000006
【図６】
0006709375.tif 000007
【図７】
0006709375.tif 000008